【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
二個の電極を有するジェリイロール集合体の第一電極の両側に位置してその端部を越えて延びる第一セットのセパレータ層を選択的に密封し、この際、前記第一電極の端部に平行で近隣に在る第二電極の端部の両側に位置してそれを越えて延びる第二セットのセパレータ層を密封することなく、前記ジェリイロール集合体の同じ端部を熱源に晒しながら前記第一セットのセパレータ層を選択的に密封する、方法。
【請求項２】
請求項１に記載の方法であって、
前記第一セットのセパレータ層を選択的に密封する工程は、
ｉ）前記熱源が前記ジェリイロール集合体の同じ端部に当てられる時に、前記第一セットのセパレータ層は前記第一電極に密着することが可能であるが前記第二セットのセパレータ層は前記第二電極に密着したり包み込むことが物理的に防止されるように、前記第二電極の電流収集下地層を構成する工程と、
ｉｉ）前記ジェリイロール集合体の同じ端部に前記熱源を当てる工程と、
を含む、方法。
【請求項３】
請求項２に記載の方法であって、
前記第二電極の電流収集下地層を構成する工程は、実質的に前記第一電極の電流収集下地層に接触することなく前記第一電極の電流収集下地層を覆うように前記第二電極の電流収集下地層を折り曲げる工程を含み、これによって、実質上包み込まれた体積が形成されて、前記第一セットのセパレータ層及び前記第二セットのセパレータ層のうちの隣接したセパレータ層が前記実質上包み込まれた体積の中に位置するように前記第二電極の電流収集下地層が折り曲げられる方法。
【請求項４】
請求項１に記載の方法であって、
前記第一セットのセパレータ層を選択的に密封する工程は、
ｉ）前記第一セットのセパレータ層には前記熱源が当てられる時に前記第一電極に密着して包み込むことが可能な層が含まれるが、前記第二セットのセパレータ層には前記熱源が当てられる時に前記第二電極に密着して包み込むことが不可能な層が含まれるように前記ジェリイロール集合体を構成する工程と、
ｉｉ）前記ジェリイロール集合体の同じ端部に熱源を当てる工程と、
を含む、方法。
【請求項５】
請求項１に記載の方法であって、
前記第一セットのセパレータ層及び前記第二セットのセパレータ層は夫々異なる融点を持つものである、方法。
【請求項６】
請求項１に記載の方法であって、
前記第一セットのセパレータ層はポリプロピレン層であり、前記第二セットのセパレータ層はセルローズに基づく層である、方法。
【請求項７】
請求項６に記載の方法であって、
前記第二セットのセパレータ層はポリビニルアルコールで含浸されたセルローズである、方法。
【請求項８】
請求項７に記載の方法であって、
前記熱源には対流式熱源、誘電式熱源、伝導式熱源、及び放射式熱源の中の少なくとも一種が含まれる、方法。
【請求項９】
請求項８に記載の方法であって、
前記熱源は伝導式熱源である、方法。
【請求項１０】
請求項９に記載の方法であって、
前記伝導式熱源は加熱されたプラテンである、方法。
【請求項１１】
請求項１０に記載の方法であって、
前記ジェリイロールの同じ端部は、前記加熱されたプラテンに約３秒〜約１０秒の間接触されるものであり、前記プラテンの温度は約３００°Ｃ〜６００°Ｃの間である、方法。
【請求項１２】
請求項１１に記載の方法であって、
前記ジェリイロールは、前記加熱されたプラテンに約０．５ｋｇ／ｃｍ2〜約５ｋｇ／ｃｍ2との間の力で接触される、方法。
【請求項１３】
請求項１に記載の方法であって、
前記第一電極は亜鉛電極であり、前記第二電極はニッケル電極である、方法。
【請求項１４】
ジェリイロール電極集合体であって、
ｉ）第一セットのセパレータ層の間に位置される第一電極、及び
ｉｉ）第二セットのセパレータ層の間に位置される第二電極を含み、前記第二セットのセパレータ層は、前記第一セットのセパレータ層と異なる融点を持つ材料で形成されており、
前記ジェリイロール電極集合体の同じ端部において前記第一電極と前記第二電極の一方がその対応するセパレータ層で包み込まれ、他方の電極が前記セパレータ層で包み込まれていない、ジェリイロール電極集合体。
【請求項１５】
請求項１４にジェリイロール電極集合体であって、
前記第一電極は亜鉛電極であり、前記第二電極はニッケル電極である、ジェリイロール電極集合体。
【請求項１６】
請求項１５にジェリイロール電極集合体であって、
前記第一セットのセパレータ層はポリプロピレン層を含む、ジェリイロール電極集合体。
【請求項１７】
請求項１６にジェリイロール電極集合体であって、
前記第二セットのセパレータ層はポリビニルアルコールで含浸されたセルローズを含む、ジェリイロール電極集合体。
【請求項１８】
請求項１５にジェリイロール電極集合体であって、
前記ジェリイロール電極集合体の両端部で、前記第一電極と前記第二電極の一方はそれに対応するセットのセパレータ層で包み込まれ、他方の電極はそのセットのセパレータ層で包み込まれていない、ジェリイロール電極集合体。
【手続補正２】
【補正対象書類名】明細書
【補正対象項目名】発明の名称
【補正方法】変更
【補正の内容】
【発明の名称】ニッケル−亜鉛セル用の熱密封セパレータの密封方法、及び、ジェリイロール電極集合体
【手続補正３】
【補正対象書類名】明細書
【補正対象項目名】００１６
【補正方法】変更
【補正の内容】
【００１６】
本発明は、以下の適用例としても実現可能である。
［適用例１］
二個の電極を有するジェリイロール集合体の第一電極の両側に位置してその端部を越えて延びる第一セットのセパレータ層を選択的に密封し、この際、前記第一電極の端部に平行で近隣に在る第二電極の端部の両側に位置してそれを越えて延びる第二セットのセパレータ層を密封することなく、前記ジェリイロール集合体の同じ端部を熱源に晒しながら前記第一セットのセパレータ層を選択的に密封する、方法。
［適用例２］
適用例１に記載の方法であって、
前記第一セットのセパレータ層を選択的に密封する工程は、
ｉ）前記熱源が前記ジェリイロール集合体の同じ端部に当てられる時に、前記第一セットのセパレータ層は前記第一電極に密着することが可能であるが前記第二セットのセパレータ層は前記第二電極に密着したり包み込むことが物理的に防止されるように、前記第二電極の電流収集下地層を構成する工程と、
ｉｉ）前記ジェリイロール集合体の同じ端部に前記熱源を当てる工程と、
を含む、方法。
［適用例３］
適用例２に記載の方法であって、
前記第二電極の電流収集下地層を構成する工程は、実質的に前記第一電極の電流収集下地層に接触することなく前記第一電極の電流収集下地層を覆うように前記第二電極の電流収集下地層を折り曲げる工程を含み、これによって、実質上包み込まれた体積が形成されて、前記第一セットのセパレータ層及び前記第二セットのセパレータ層のうちの隣接したセパレータ層が前記実質上包み込まれた体積の中に位置するように前記第二電極の電流収集下地層が折り曲げられる方法。
［適用例４］
適用例１に記載の方法であって、
前記第一セットのセパレータ層を選択的に密封する工程は、
ｉ）前記第一セットのセパレータ層には前記熱源が当てられる時に前記第一電極に密着して包み込むことが可能な層が含まれるが、前記第二セットのセパレータ層には前記熱源が当てられる時に前記第二電極に密着して包み込むことが不可能な層が含まれるように前記ジェリイロール集合体を構成する工程と、
ｉｉ）前記ジェリイロール集合体の同じ端部に熱源を当てる工程と、
を含む、方法。
［適用例５］
適用例１に記載の方法であって、
前記第一セットのセパレータ層及び前記第二セットのセパレータ層は夫々異なる融点を持つものである、方法。
［適用例６］
適用例１に記載の方法であって、
前記第一セットのセパレータ層はポリプロピレン層であり、前記第二セットのセパレータ層はセルローズに基づく層である、方法。
［適用例７］
適用例６に記載の方法であって、
前記第二セットのセパレータ層はポリビニルアルコールで含浸されたセルローズである、方法。
［適用例８］
適用例７に記載の方法であって、
前記熱源には対流式熱源、誘電式熱源、伝導式熱源、及び放射式熱源の中の少なくとも一種が含まれる、方法。
［適用例９］
適用例８に記載の方法であって、
前記熱源は伝導式熱源である、方法。
［適用例１０］
適用例９に記載の方法であって、
前記伝導式熱源は加熱されたプラテンである、方法。
［適用例１１］
適用例１０に記載の方法であって、
前記ジェリイロールの同じ端部は、前記加熱されたプラテンに約３秒〜約１０秒の間接触されるものであり、前記プラテンの温度は約３００°Ｃ〜６００°Ｃの間である、方法。
［適用例１２］
適用例１１に記載の方法であって、
前記ジェリイロールは、前記加熱されたプラテンに約０．５ｋｇ／ｃｍ2〜約５ｋｇ／ｃｍ2との間の力で接触される、方法。
［適用例１３］
適用例１に記載の方法であって、
前記第一電極は亜鉛電極であり、前記第二電極はニッケル電極である、方法。
［適用例１４］
ジェリイロール電極集合体であって、
ｉ）第一セットのセパレータ層の間に位置される第一電極、及び
ｉｉ）第二セットのセパレータ層の間に位置される第二電極を含み、
前記ジェリイロール電極集合体の同じ端部において前記第一電極と前記第二電極の一方がその対応するセパレータ層で包み込まれ、他方の電極が前記セパレータ層で包み込まれていない、ジェリイロール電極集合体。
［適用例１５］
適用例１４にジェリイロール電極集合体であって、
前記第一電極は亜鉛電極であり、前記第二電極はニッケル電極である、ジェリイロール電極集合体。
［適用例１６］
適用例１５にジェリイロール電極集合体であって、
前記第一セットのセパレータ層はポリプロピレン層を含む、ジェリイロール電極集合体。
［適用例１７］
適用例１６にジェリイロール電極集合体であって、
前記第二セットのセパレータ層はポリビニルアルコールで含浸されたセルローズを含む、ジェリイロール電極集合体。
［適用例１８］
適用例１５にジェリイロール電極集合体であって、
前記ジェリイロール電極集合体の両端部で、前記第一電極と前記第二電極の一方はそれに対応するセットのセパレータ層で包み込まれ、他方の電極はそのセットのセパレータ層で包み込まれていない、ジェリイロール電極集合体。
上記及びその他の特徴及び利点は図を参照して以下説明される。